(57)【要約】【課題】  回転ベゼルに衝撃が加わっても、その衝撃を吸収してケース本体にほとんど伝わらないようにする。【解決手段】  ケース本体１の上部外周に固定リング４を固定し、この固定リング４に回転ベゼル５を回転自在に取り付け、この回転ベゼル５に、ケース本体１の内側上面から離間してケース本体１の内側上面を覆うベゼル上面部８を設け、固定リング４のリング本体部９に、回転ベゼル５のベゼル上面部８の下面側に延出してケース本体１の内側上面から離間する緩衝部１０を設けた。従って、回転ベゼル５のベゼル上面部８に上方から衝撃が加わると、その衝撃を固定リング４の緩衝部１０によって吸収することができる。これにより、回転ベゼル５に加わった衝撃がケース本体１にほとんど伝わらないようにすることができ、ケース本体１内の時計モジュールが破損しないように保護することができる。【選択図】        図１
2006126017.tif 000002
【特許請求の範囲】
【請求項１】
ケース本体と、
このケース本体の上部外周に固定された固定リングと、
この固定リングに回転自在に取り付けられた回転ベゼルと
を備え、
前記回転ベゼルには、前記ケース本体の内側上面から離間して前記ケース本体の内側上面を覆うベゼル上面部が設けられ、
前記固定リングには、前記回転ベゼルの前記ベゼル上面部の下面側に延出して前記ケース本体の内側上面から離間する緩衝部が設けられている
ことを特徴とするケース構造。
【請求項２】
前記回転ベゼルは、棒状部材を多角形状に折り曲げた多角形ばねを、前記固定リングの外周面に設けられたリング側係合溝と、これに対向する前記回転ベゼルの内周面に設けられたベゼル側係合溝とに係合させることにより、前記固定リングに回転可能に取り付けられていることを特徴とする請求項１に記載のケース構造。
【請求項３】
前記緩衝部は、前記固定リングの上端部から前記ケース本体の内側上面よりも上方に突出し、この突出部分の上部に前記固定リングの内側へ向けて突出する鍔部が設けられ、この鍔部の下面と前記ケース本体の内側上面との間に緩衝用の隙間が設けられていることにより、前記鍔部の上方から衝撃が加わった際に前記緩衝部の全体が弾性変形することを特徴とする請求項１または２に記載のケース構造。
【請求項４】
前記緩衝部の外周面には、前記鍔部の上面から前記緩衝部の下部に亘って前記多角形ばねをガイドするための傾斜面が設けられていることを特徴とする請求項３に記載のケース構造。
【請求項５】
前記緩衝部の前記傾斜面とこれに対向する前記回転ベゼルの内面との間には、前記多角形ばねの逃がし用の隙間が設けられていることを特徴とする請求項４に記載のケース構造。
【請求項６】
前記緩衝部の下部側に位置する前記固定リングの外周面における前記リング側係合溝の上部側の外径は、その下部側よりも小径に形成されていることを特徴とする請求項１〜５のいずれかに記載のケース構造。
【発明の詳細な説明】
【技術分野】
【０００１】
この発明は、腕時計などの時計に用いられるケース構造に関し、更に詳しくは回転ベゼルを備えたケース構造に関する。
【背景技術】
【０００２】
例えば、腕時計においては、特許文献１に記載されているように、腕時計ケースの上部内周に時計ガラスが固定されていると共に、この腕時計ケースの上部外周に回転ベゼル（特許文献１ではレジスターリング）が回転自在に取り付けられた構造のものがある。
【特許文献１】実公平１−１９１１４号公報（実開昭５９−１４４４４９０号）
【０００３】
この特許文献１の腕時計は、腕時計ケースの外周面に設けられた溝と、この溝に対向する回転ベゼルの内周に設けられた溝との両方に、丸棒を多角形状に折り曲げた多角形ばねを係合させることにより、回転ベゼルを腕時計ケースの外周に密接させた状態で回転可能に取り付けた構成になっている。なお、この腕時計では、腕時計ケースの上面と回転ベゼルの下面との間にクリックばねが配置され、このクリックばねのばね力によって弾力的に回転ベゼルを押し上げ、この状態で回転ベゼルが回転するときに、回転ベゼルの下面に設けられた凹凸部を順次乗り越えることにより、回転ベゼルの回転位置を規制している。
【発明の開示】
【発明が解決しようとする課題】
【０００４】
しかしながら、このような従来の腕時計では、腕時計ケースの上部外周に回転ベゼルが密接した状態で多角形ばねによって回転自在に取り付けられた構成であるから、回転ベゼルの上面に上方から衝撃が加わると、その衝撃が腕時計ケースにほぼそのまま伝わり、腕時計ケース内の時計モジュールが衝撃を受けて破損することがあるという問題がある。
【０００５】
この場合、回転ベゼルはクリックばねのばね力によって弾力的に押し上げられているが、クリックばねは、そのばね力が強いと回転ベゼルを円滑に回転させることができないため、ばね力が弱く設定されている。このため、回転ベゼルの上面に上方から衝撃が加わると、その衝撃をクリックばねによって確実に吸収することができず、衝撃がそのまま腕時計ケースに伝わり、上記のような問題が生じる。
【０００６】
この発明が解決しようとする課題は、回転ベゼルに衝撃が加わっても、その衝撃を吸収してケース本体にほとんど伝わらないようにすることができるケース構造を提供することである。
【課題を解決するための手段】
【０００７】
この発明は、上記課題を解決するために、次のような構成要素を備えている。
なお、各構成要素には、後述する実施形態の項で説明される各要素に付されている図面の参照番号などを括弧と共に付す。
【０００８】
請求項１に記載の発明は、図１〜図３に示すように、ケース本体（１）と、このケース本体の上部外周に固定された固定リング（４）と、この固定リングに回転自在に取り付けられた回転ベゼル（５）とを備え、
前記回転ベゼルには、前記ケース本体の内側上面から離間して前記ケース本体の内側上面を覆うベゼル上面部（８）が設けられ、前記固定リングには、前記回転ベゼルの前記ベゼル上面部の下面側に延出して前記ケース本体の内側上面から離間する緩衝部（１０）が設けられていることを特徴とするケース構造である。
【０００９】
請求項２に記載の発明は、図１〜図３に示すように、前記回転ベゼル（５）が、棒状部材を多角形状に折り曲げた多角形ばね（６）を、前記固定リング（４）の外周面に設けられたリング側係合溝（１１）と、これに対向する前記回転ベゼルの内周面に設けられたベゼル側係合溝（１２）とに係合させることにより、前記固定リングに回転可能に取り付けられていることを特徴とする請求項１に記載のケース構造である。
【００１０】
請求項３に記載の発明は、図１に示すように、前記緩衝部（１０）は、前記固定リング（４）の上端部から前記ケース本体（１）の内側上面よりも上方に突出し、この突出部分の上部に前記固定リングの内側へ向けて突出する鍔部（１３）が設けられ、この鍔部の下面と前記ケース本体の内側上面との間に緩衝用の隙間（１４）が設けられていることにより、前記鍔部の上方から衝撃が加わった際に前記緩衝部の全体が弾性変形することを特徴とする請求項１または２に記載のケース構造である。
【００１１】
請求項４に記載の発明は、図１に示すように、前記緩衝部（１０）の外周面に、前記鍔部（１３）の上面から前記緩衝部の下部に亘って前記多角形ばね（６）をガイドするための傾斜面（１６）が設けられていることを特徴とする請求項３に記載のケース構造である。
【００１２】
請求項５に記載の発明は、図１に示すように、前記緩衝部（１０）の前記傾斜面（１６）とこれに対向する前記回転ベゼル（５）の内面との間に、前記多角形ばね（６）の逃がし用の隙間（１７）が設けられていることを特徴とする請求項４に記載のケース構造である。
【００１３】
請求項６に記載の発明は、図１に示すように、前記緩衝部（１０）の下部側に位置する前記固定リング（４）の外周面における前記リング側係合溝（１１）の上部側の外径が、その下部側よりも小径に形成されていることを特徴とする請求項１〜５のいずれかに記載のケース構造である。
【発明の効果】
【００１４】
請求項１に記載の発明によれば、ケース本体の上部外周に固定リングを固定し、この固定リングに回転ベゼルを回転自在に取り付け、この回転ベゼルに、ケース本体の内側上面から離間してケース本体の内側上面を覆うベゼル上面部を設け、ケース本体の上部外周に固定された固定リングに、回転ベゼルのベゼル上面部の下面側に延出してケース本体の内側上面から離間する緩衝部を設けたので、回転ベゼルのベゼル上面部に上方から衝撃が加わると、その衝撃を固定リングの緩衝部によって吸収することができ、これにより回転ベゼルに加わた衝撃がケース本体にほとんど伝わらないようにすることができる。
【００１５】
請求項２に記載の発明によれば、棒状部材を多角形状に折り曲げた多角形ばねを、固定リングの外周面に設けられたリング側係合溝と、これに対向する回転ベゼルの内周面に設けられたベゼル側係合溝とに係合させることにより、この係合した多角形ばねによって回転ベゼルが固定リングに回転可能に取り付けられているので、回転ベゼルを固定リングに回転可能な状態で固定リングから抜けないように確実に取り付けることができる。
【００１６】
請求項３に記載の発明によれば、緩衝部は、固定リングの上端部にケース本体の内側上面よりも上方に突出し、この突出部分の上部に固定リングの内側へ向けて突出する鍔部が設けられ、この鍔部の下面とケース本体の内側上面との間に緩衝用の隙間が設けられていることにより、鍔部の上方から衝撃が加わった際に緩衝部の全体が弾性変形するので、回転ベゼルのベゼル上面部に上方から衝撃が加わると、その衝撃によって固定リングの緩衝部が弾性変形して衝撃を確実に吸収することができ、これにより回転ベゼルに加わった衝撃がケース本体にほとんど伝わらないようにすることができると共に、緩衝部によって回転ベゼルの上下位置が安定して回転ベゼルの回転トルクを安定させることができるので、回転ベゼルの回転を安定させることができる。
【００１７】
請求項４に記載の発明によれば、緩衝部の外周面に、鍔部の上面から緩衝部の下部に亘って多角形ばねをガイドするための傾斜面が設けられていることにより、この傾斜面によって多角形ばねを円滑にガイドして固定リングのリング側係合溝に係合させることができる。このため、多角形ばねを回転ベゼルのベゼル側係合溝に係合させた状態で、多角形ばねおよび回転ベゼルを固定リングに容易に組み付けることができるので、多角形ばねおよび回転ベゼルの組み付け作業性を向上させることができる。
【００１８】
請求項５に記載の発明によれば、緩衝部の傾斜面とこれに対向する回転ベゼルの内面との間に、多角形ばねの逃がし用の隙間が設けられていることにより、多角形ばねを緩衝部の傾斜面に沿って移動させて組み付けるときに、多角形ばねが傾斜面に沿って次第に押し広げられるように変形しても、逃がし用の隙間によって多角形ばねの変形が妨げられることがないので、多角形ばねを円滑に且つ良好に組み込むことができ、これによっても多角形ばねおよび回転ベゼルの組み付け作業性を向上させることができる。
【００１９】
この場合、特に緩衝部の傾斜面とこれに対向する回転ベゼルの内面との間に設けられた逃がし用の隙間によって、緩衝部の傾斜面の傾斜長さを十分に長くすることができる。このため、多角形ばねの収縮力を高めるために多角形ばねの内接円を小さくしても、多角形ばねを傾斜面によって円滑にガイドして固定リングのリング側係合溝に係合させることができ、これにより多角形ばねの収縮力を高めることができるので、多角形ばねによって回転ベゼルを固定リングに確実に且つ強固に取り付けることができる。
【００２０】
請求項６に記載の発明によれば、緩衝部の下部側に位置する固定リングの外周面におけるリング側係合溝の上部側の外径が、その下部側よりも小径に形成されていることにより、緩衝部の傾斜面とこれに対向する回転ベゼルの内面との間の逃がし用の隙間を大きく形成することができ、これにより、より一層、多角形ばねの組み付け時における変形が妨げられないようにすることができ、これによっても請求項５に記載の発明と同様、多角形ばねおよび回転ベゼルの組み付け作業性を向上させることができる。
【００２１】
この場合、固定リングの外周面におけるリング側係合溝の上部側の外径がその下部側よりも小径に形成されていることにより、固定リングのリング側係合溝の下部側の外径がその上部側よりも大きいので、この下側部分における固定リングと回転ベゼルとの隙間を狭くすることができ、これにより固定リングに対する回転ベゼルのガタつきを抑えることができると共に、衝撃によって回転ベゼルが固定リングから外れにくくすることができる。
【発明を実施するための最良の形態】
【００２２】
以下、図１〜図３を参照して、この発明を腕時計に適用した実施形態について説明する。
図１はこの発明を適用した腕時計ケースの要部を示した拡大断面図である。
この腕時計ケースは、図１に示すように、合成樹脂製のケース本体１を備えている。このケース本体１の上部内周には、時計ガラス２がパッキン３を介して取り付けられている。このケース本体１の内部には、時計ガラス２の下側に対応して時計モジュール（図示せず）が収納されている。また、このケース本体１の上部外周には、金属製の固定リング４が嵌合した状態で固定されており、この固定リング４の外周には、金属製の回転ベゼル５が多角形ばね６によって回転可能に取り付けられている。
【００２３】
回転ベゼル５は、図１に示すように、ベゼル本体部７が固定リング４の外周面に対応するリング状に形成され、このベゼル本体部７の上部内周にケース本体１の内側上面から上方に離れてケース本体１の内側上面および時計ガラス２の外周部の上面を覆うベゼル上面部８が一体に形成された構成になっている。この場合、ベゼル上面部８は、ベゼル本体部７の上部内周から内側上方に向けて傾斜する傾斜部８ａが形成され、その内周側の先端部８ｂが断面山形状に形成され、この先端部８ｂの下面がケース本体１の上面および時計ガラス２の上面とほぼ平行な平坦面８ｃに形成されている。
【００２４】
固定リング４は、図１に示すように、ケース本体１の上部外周に嵌合するリング本体部９を有し、このリング本体部９の上部に回転ベゼル５のベゼル上面部８における下面の平坦面８ｃに向けて延出してケース本体１の内側上面から離間する緩衝部１０を一体に形成した構成になっている。多角形ばね６は、図２に示すように、丸棒状の部材を多角形状に折り曲げたばね部材であり、図１に示すように、固定リング４のリング本体部９の外周面に設けられたリング側係合溝１１と、これに対向する回転ベゼル５のベゼル本体部７の内周面に設けられたベゼル側係合溝１２とに係合することにより、回転ベゼル５を固定リング４に回転可能に取り付けるように構成されている。
【００２５】
ところで、固定リング４の緩衝部１０は、図１に示すように、固定リング４のリング本体部９の上端部からケース本体１の内側上面よりも上方に突出し、この突出部分の上部に固定リング４の内側へ向けて突出する鍔部１３が形成されていると共に、この鍔部１３の下面とケース本体１の内側上面との間に緩衝用の隙間１４が設けられ、これにより鍔部１３の上方から衝撃が加わった際に緩衝部１０全体が弾性変形するように構成されている。この場合、緩衝部１０の鍔部１３の上面が対向する回転ベゼル５のベゼル上面部８の下面、つまりベゼル上面部８の先端部８ｂの下面における平坦面８ｃには、スペーサ１５が設けられている。このスペーサ１５は、ポリエステルシートからなり、緩衝部１０の鍔部１３と回転ベゼル５のベゼル上面部８とが接触するときの摩擦抵抗を軽減してキシミ音を防ぐように構成されている。
【００２６】
また、緩衝部１０の外周面には、図１に示すように、鍔部１３の外周側上面から緩衝部１０の外周側下部に亘って多角形ばね６をガイドするための傾斜面１６が形成されている。この傾斜面１６は、図１に示すように、多角形ばね６を組み付けるときに、多角形ばね６を円滑にガイドするために、軽いハブ仕上げが施されていると共に、傾斜面１６の上部側と下部側とで傾斜角度が異なる２段の傾斜面に形成されている。すなわち、この傾斜面１６の上部側は、固定リング４のリング本体部９の外周面に対し約４５°の傾斜角度で傾斜する緩やかな傾斜面に形成されており、傾斜面１６の下部側は、固定リング４のリング本体部９の外周面に対し約３３°の傾斜角度で傾斜する急な傾斜面に形成されている。
【００２７】
また、この緩衝部１０の傾斜面１６とこれに対向する回転ベゼル５の内面との間には、図１に示すように、多角形ばね６の逃がし用の隙間１７が設けられている。この場合、回転ベゼル５のベゼル上面部８におけるベゼル本体部７の上部内周から内側上方に向けて傾斜する傾斜部８ａの下面は、ベゼル上面部８の先端部８ｂにおける下面の平坦面８ｃに対し約３３°の傾斜角度で傾斜する傾斜面に形成されている。これにより、逃がし用の隙間１７は、緩衝部１０の傾斜面１６に沿ってその上側から下側に向かうに従って次第に広くなるように形成されている。
【００２８】
さらに、緩衝部１０の下部側に位置する固定リング４のリング本体部９における外周面の外径は、図１に示すように、リング側係合溝１１の上部側がその下部側よりも小径に形成されている。これにより、固定リング４のリング本体部９は、リング側係合溝１１の上部側とこれに対向する回転ベゼル５のベゼル本体部７の内周面との間に隙間Ｓ１が設けられている。この上部側の隙間Ｓ１は、リング側係合溝１１の下部側とこれに対向する回転ベゼル５のベゼル本体部７の内周面との間の隙間Ｓ２よりも広く形成されている。また、下部側の隙間Ｓ２は、固定リング４のリング本体部９におけるリング側係合溝１１の下部側がその上部側よりも大径に形成されていることにより、固定リング４のリング本体部９の外周面と回転ベゼル５のベゼル本体部７の内周面とが接近するように狭く形成されている。
【００２９】
なお、回転ベゼル５のベゼル本体部７の下面とこれに対向するケース本体１の外周側上面との間には、図１に示すように、クリックばね１８が配置されている。このクリックばね１８は、そのばね力によって回転ベゼル５を弾力的に押し上げ、この状態で回転ベゼル５が回転するときに、図３に示すように、回転ベゼル５のベゼル本体部７の下面に設けられた凹凸部１９を順次乗り越えることにより、回転ベゼル５の回転位置を規制するように構成されている。
【００３０】
このような腕時計ケースでは、ケース本体１の上部内周に時計ガラス２をパッキン３を介して装着した後、ケース本体１の上部外周に固定リング４を嵌合させて固定すると共に、ケース本体１の外周側上面にクリックばね１８を配置し、この状態で固定リング４のリング本体部９の外周に回転ベゼル５のベゼル本体部７を多角形ばね６と共に組み付ける。この場合には、予め回転ベゼル５のベゼル本体部７のベゼル側係合溝１２に多角形ばね６を係合させ、この状態で回転ベゼル５をケース本体１の上方から固定リング４のリング本体部９の外周に嵌合させる。
【００３１】
このときには、回転ベゼル５のベゼル側係合溝１２に係合した多角形ばね６が固定リング４の緩衝部１０に形成された傾斜面１６に沿ってガイドされながら次第に押し広げられ、この傾斜面１６を経てリング本体部９の上部外周を乗り越えると、多角形ばね６が固定リング４のリング側係合溝１１に収縮して嵌合する。すなわち、多角形ばね６は、その外接円上に位置する各角部分が回転ベゼル５のベゼル側係合溝１２内に予め係合し、この状態で内接円上に位置する各辺部の中間部分が固定リング４のリング側係合溝１１に係合する。これにより、回転ベゼル５は、多角形ばね６によって固定リング４に回転可能な状態で固定リング４から抜けることなく取り付けられる。
【００３２】
このように、この腕時計ケースによれば、ケース本体１の上部外周に固定リング４を固定し、この固定リング４に回転ベゼル５を回転自在に取り付け、この回転ベゼル５に、ケース本体１の内側上面から離間してケース本体１の内側上面を覆うベゼル上面部８を設け、ケース本体１の上部外周に固定された固定リング４に、回転ベゼル５のベゼル上面部８の下面側に延出してケース本体１の内側上面から離間する緩衝部１０を設けたので、回転ベゼル５のベゼル上面部８に上方から衝撃が加わると、その衝撃を固定リング４の緩衝部１０によって吸収することができ、これにより回転ベゼル５に加わった衝撃がケース本体１にほとんど伝わらないようにすることができ、ケース本体１内に組み込まれた時計モジュール（図示せず）が破損しないように保護することができる。
【００３３】
この場合、緩衝部１０は、固定リング４のリング本体部９の上端部にケース本体１の内側上面よりも上方に突出し、この突出部分の上部に固定リング４の内側へ向けて突出する鍔部１３が設けられ、この鍔部１３の下面とケース本体１の内側上面との間に緩衝用の隙間１４が設けられていることにより、鍔部１３の上方から衝撃が加わった際に緩衝部１０全体が弾性変形するので、回転ベゼル５のベゼル上面部８に上方から衝撃が加わったときに、その衝撃によって固定リング４の緩衝部１０が弾性変形して、確実に衝撃を吸収することができる。
【００３４】
特に、緩衝部１０は金属製の固定リング４に一体に形成されていることにより、この金属製の緩衝部１０によって回転ベゼル５の上下位置が安定して回転ベゼル５の回転トルクを安定させることができ、これにより回転ベゼル５の回転を安定させることができるほか、固定リング４に別部品としての緩衝部材を設ける必要がないので、部品点数を削減することもできる。
【００３５】
また、緩衝部１０の外周面には、鍔部１３の上面から緩衝部１０の下部に亘って多角形ばね６をガイドするための傾斜面１６が形成されていることにより、この傾斜面１６によって多角形ばね６を円滑にガイドして固定リング４のリング側係合溝１１に係合させることができる。このため、多角形ばね６を回転ベゼル５のベゼル側係合溝１２に係合させた状態で、多角形ばね６および回転ベゼル５を固定リング４に容易に組み付けることができ、これにより多角形ばね６および回転ベゼル５の組み付け作業性を向上させることができる。
【００３６】
また、緩衝部１０の傾斜面１６とこれに対向する回転ベゼル５の内面との間には、多角形ばね６の逃がし用の隙間１７が設けられていることにより、多角形ばね６を緩衝部１０の傾斜面１６に沿って移動させて組み付けるときに、多角形ばね６が傾斜面１６に沿って次第に押し広げられるように変形しても、逃がし用の隙間１７によって多角形ばね６の変形が妨げられることがないので、多角形ばね６を円滑に且つ良好に組み込むことができ、これによっても多角形ばね６および回転ベゼル５の組み付け作業性を向上させることができる。
【００３７】
この場合、緩衝部１０の傾斜面１６とこれに対向する回転ベゼル５の内面との間に設けられた逃がし用の隙間１７によって、緩衝部１０の傾斜面１６の傾斜長さを十分に長くすることができる。このため、多角形ばね６の収縮力を高めるために多角形ばね６の内接円を小さくても、多角形ばね６を傾斜面１６によって円滑にガイドして固定リングのリング側係合溝に係合させることができ、これにより多角形ばねの収縮力を高めることができるので、多角形ばね６によって回転ベゼル５を固定リング４に確実に且つ強固に取り付けることができる。
【００３８】
特に、緩衝部１０の傾斜面１６は、軽いバフ仕上げが施されていると共に、その上部側が緩やかな傾斜角度（つまり固定リング４のリング本体部９の外周面に対し約４５°の傾斜角度）で形成され、下部側が急な傾斜角度（つまり固定リング４のリング本体部９の外周面に対し約３３°の傾斜角度）で形成されているので、より一層、多角形ばね６を円滑にガイドして固定リング４のリング側係合溝１１に係合させることができ、このため、より一層、多角形ばねの収縮力を高めることができる。
【００３９】
さらに、固定リング４は、緩衝部１０の下部側に位置するリング本体部９の外周面におけるリング側係合溝１１の上部側の外径が、その下部側よりも小径に形成されていることにより、緩衝部１０の傾斜面１６とこれに対向する回転ベゼル５の内面との間の逃がし用の隙間１７を大きく形成することができ、この逃がし用の隙間１７によって、より一層、多角形ばね６の組み付け時における変形が妨げられないようにすることができ、これによっても多角形ばね６および回転ベゼル５の組み付け作業性を向上させることができる。
【００４０】
特に、固定リング４のリング本体部９の外周面は、リング側係合溝１１の上部側の外径がその下部側よりも小径に形成されていることにより、リング本体部９のリング側係合溝１１の下部側の外径がその上部側よりも大きいので、この下側部分における固定リング４のリング本体部９と回転ベゼル５のベゼル本体部７との隙間Ｓ２を小さくすることができ、これにより固定リング４に対する回転ベゼル５のガタつきを抑えることができると共に、衝撃によって回転ベゼル５が固定リング４から外れにくくすることができる。
【００４１】
なお、上記実施形態では、ケース構造として、腕時計ケースに適用した場合について述べたが、これに限らず、トラベルウォッチ、置き時計、目覚まし時計などの時計のケース構造に適用することができ、また必ずしも時計に限らず、他の電子機器のケース構造にも適用することができる。
【図面の簡単な説明】
【００４２】
【図１】この発明を適用した腕時計ケースの要部を示した拡大断面図である。
【図２】図１の多角形ばねを示した拡大平面図である。
【図３】図１のクリックばねを示した要部の拡大側面図である。
【符号の説明】
【００４３】
１  ケース本体
２  時計ガラス
４  固定リング
５  回転ベゼル
６  多角形ばね
７  ベゼル本体部
８  ベゼル上面部
９  リング本体部
１０  緩衝部
１１  リング側係合溝
１２  ベゼル側係合溝
１３  鍔部
１４  緩衝用の隙間
１５  スペーサ
１６  傾斜面
１７  逃がし用の隙間
１８  クリックばね
【図１】
2006126017.tif 000003
【図２】
2006126017.tif 000004
【図３】
2006126017.tif 000005